(57)【要約】  細長い部材をルーティングし、衝撃から保護するための保護用織物スリーブおよびその構成方法が提供される。スリーブは、互いに織り交ぜられた複数の糸を含み、織り交ぜられた糸は、対向する開放端の間の縦軸に沿って縦方向に延びる細長く周方向に連続した管状壁を形成する。複数の糸の少なくともいくつかは、管状糸の長さに沿って延びる中央空洞を有する管状糸を含み、それにより、管状糸に耐衝撃性の二重層壁を提供する。スリーブは、製織、編組または編みプロセスで構成することができ、そこにおいて、管状糸は織糸、編組糸またはニット糸として織り交ぜることができ、さらに、管状糸は挿入された糸として織り交ぜることができる。
2021510397.tif 000002
【特許請求の範囲】
【請求項１】
細長い部材をルーティングおよび保護するための織物スリーブであって、
互いに織り交ぜられた複数の糸を備え、前記複数の糸は、対向する開放端間で縦軸に沿って縦に延びる、細長く、周方向に連続した管状壁を形成し、
前記複数の糸の少なくともいくつかは管状糸を含む、織物スリーブ。
【請求項２】
前記管状糸は、互いに編組みされた複数のフィラメントによって形成された管状編組壁を有する、請求項１に記載の織物スリーブ。
【請求項３】
前記管状編組壁を形成する前記複数のフィラメントは、熱収縮性フィラメントを含む、請求項２に記載の織物スリーブ。
【請求項４】
前記管状編組壁を形成する前記複数のフィラメントの全体が、熱収縮性フィラメントである、請求項３に記載の織物スリーブ。
【請求項５】
前記管状壁を形成する前記複数の糸の少なくともいくつかが、非熱収縮性フィラメントである、請求項４に記載の織物スリーブ。
【請求項６】
前記管状編組壁を形成する前記複数のフィラメントの少なくともいくつかが、非熱収縮性フィラメントである、請求項２に記載の織物スリーブ。
【請求項７】
前記管状編組壁を形成する前記複数のフィラメントの全体が、非熱収縮性フィラメントである、請求項６に記載の織物スリーブ。
【請求項８】
前記複数の糸の少なくともいくつかが、熱収縮性糸である、請求項７に記載の織物スリーブ。
【請求項９】
前記複数の糸の少なくともいくつかが、熱収縮性糸である、請求項１に記載の織物スリーブ。
【請求項１０】
前記複数の糸の全体が、熱収縮性糸である、請求項９に記載の織物スリーブ。
【請求項１１】
前記管状糸は、約０．５〜１０ｍｍの直径を有する空洞を境界付ける内面を有する、請求項１に記載の織物スリーブ。
【請求項１２】
前記複数の糸が互いに編組みされている、請求項１に記載の織物スリーブ。
【請求項１３】
前記複数の糸は、前記縦軸にほぼ平行に延びる縦糸と、前記縦糸に対してほぼ横方向に延びる横糸とを含み、
前記縦糸と前記横糸とは互いに織り合わされる、請求項１に記載の織物スリーブ。
【請求項１４】
前記縦糸の少なくともいくつかは、前記管状糸として設けられ、
前記縦糸の少なくともいくつかは、非管状糸として設けられる、請求項１３に記載の織物スリーブ。
【請求項１５】
複数の前記縦糸は、互いに直ぐ隣り合った関係で前記管状糸として設けられ、
複数の前記非管状糸は、互いに直ぐ隣り合った関係で設けられる、請求項１４に記載の織物スリーブ。
【請求項１６】
前記横糸の少なくともいくつかは、前記管状糸として設けられ、
前記横糸の少なくともいくつかは、前記非管状糸として設けられる、請求項１４に記載の織物スリーブ。
【請求項１７】
前記横糸の少なくともいくつかは、前記管状糸として設けられ、
前記横糸の少なくともいくつかは、非管状糸として設けられる、請求項１３に記載の織物スリーブ。
【請求項１８】
複数の前記横糸は、互いに直ぐ隣り合った関係で前記管状糸として設けられ、
複数の前記非管状糸は、互いに直ぐ隣り合った関係で設けられる、請求項１７に記載の織物スリーブ。
【請求項１９】
前記細長く、周方向に連続した管状壁は、その長さに沿って均一な密度を有する、請求項１３に記載の織物スリーブ。
【請求項２０】
前記細長く、周方向に連続した管状壁は、その長さおよび周囲の少なくとも一方に沿って不均一な密度を有する、請求項１３に記載の織物スリーブ。
【請求項２１】
前記細長く、周方向に連続した管状壁は、その長さに沿って均一な密度を有する請求項１に記載の織物スリーブ。
【請求項２２】
前記細長く、周方向に連続した管状壁は、その長さおよび周囲の少なくとも一方に沿って不均一な密度を有する、請求項１に記載の織物スリーブ。
【請求項２３】
細長い部材をルーティングおよび保護するための織物スリーブを構成する方法であって、
複数の糸を互いに織り交ぜて、対向する開放端間で縦軸に沿って縦に延びる、細長く、周方向に連続した管状壁を形成することを備え、
前記複数の糸の少なくともいくつかは、管状糸を含む、方法。
【請求項２４】
互いに編み組みされた複数のフィラメントによって形成された管状編組壁を有する前記管状糸を設けることをさらに備えた、請求項２３に記載の方法。
【請求項２５】
熱収縮性フィラメントを含む前記管状編組壁を形成する前記複数のフィラメントを設けることをさらに備えた、請求項２４に記載の方法。
【請求項２６】
前記管状編組壁を形成する前記複数のフィラメントの全体を熱収縮性フィラメントとして設けることをさらに含む、請求項２５に記載の方法。
【請求項２７】
前記管状編組壁を形成する前記複数の糸の少なくともいくつかを非熱収縮性フィラメントとして設けることをさらに含む、請求項２６に記載の方法。
【請求項２８】
前記管状編組壁を形成する前記複数のフィラメントの少なくともいくつかを非熱収縮性フィラメントとして設けることをさらに含む、請求項２４に記載の方法。
【請求項２９】
前記管状編組壁を形成する前記複数のフィラメント全体を非熱収縮性フィラメントとして設けることをさらに含む、請求項２４に記載の方法。
【請求項３０】
前記複数の糸の少なくともいくつかを熱収縮性糸として設けることをさらに含む、請求項２９に記載の方法。
【請求項３１】
前記複数の糸の少なくともいくつかを熱収縮性糸として設けることをさらに含む、請求項２３に記載の方法。
【請求項３２】
前記複数の糸全体を熱収縮性糸として設けることをさらに含む、請求項３１に記載の方法。
【請求項３３】
約０．５〜１０ｍｍの直径を有する空洞を境界付ける内面を有する前記管状糸を設けることをさらに含む、請求項２３に記載の方法。
【請求項３４】
編組プロセスを介して前記織り交ぜることを実施することをさらに含む、請求項２３に記載の方法。
【請求項３５】
前記縦軸にほぼ平行に伸びる縦糸と前記縦糸に対してほぼ横方向に伸びる横糸とを含む前記複数の糸を用いた製織プロセスを介して前記織り交ぜることを実施することをさらに含む、請求項２３に記載の方法。
【請求項３６】
前記縦糸の少なくともいくつかを管状糸として設け、前記縦糸の少なくともいくつかを非管状糸として設けることをさらに含む、請求項３５に記載の方法。
【請求項３７】
複数の前記縦糸管状糸を互いに直ぐ隣り合った関係で織り、複数の前記縦糸非管状糸を互いに直ぐ隣り合った関係で織ることをさらに含む、請求項３６に記載の方法。
【請求項３８】
前記横糸の少なくともいくつかを管状糸として織り、前記横糸の少なくともいくつかを非管状糸として織ることをさらに含む、請求項３６に記載の方法。
【請求項３９】
前記横糸の少なくともいくつかを管状糸として織り、前記横糸の少なくともいくつかを非管状糸として織ることをさらに含む、請求項３５に記載の方法。
【請求項４０】
複数の前記横糸を互いに直ぐ隣り合った関係で織り、複数の前記横糸を互いに直ぐ隣り合った関係で織ることをさらに含む、請求項３９に記載の方法。
【請求項４１】
その全長に沿って実質的に均一な糸密度を有する前記細長く、周方向に連続した管状壁を織ることをさらに含む、請求項３５に記載の方法。
【請求項４２】
その長さに沿っておよび／またはその周囲の周りに不均一な密度を有する前記細長く、周方向に連続した管状壁を織ることをさらに含む、請求項３５に記載の方法。
【請求項４３】
全長に沿って均一な糸密度を有する前記細長く、周方向に連続した管状壁を織ることをさらに含む、請求項２３に記載の方法。
【請求項４４】
その長さに沿っておよび／またはその周囲の周りに不均一な密度を有する前記細長く、周方向に連続した管状壁を織ることをさらに含む、請求項２３に記載の方法。
【発明の詳細な説明】
【技術分野】
【０００１】
関連出願の相互参照
この出願は、2018年1月10日に提出された米国仮出願番号62/615,842、2018年6月5日に提出された米国仮出願番号62/681,006、および2019年1月9日に提出された米国出願番号16/234,677の利益を主張する。
【０００２】
本発明は、その中に含まれる細長い部材を保護するためのスリーブに関し、より詳細には、耐衝撃性を有する管状織物スリーブに関する。
【背景技術】
【０００３】
衝撃や摩耗、流体、熱の影響から細長い部材を保護するために、織物スリーブ内に、様々なタイプのワイヤー、ワイヤーハーネス、ケーブル、コンジットなどの細長い部材を含むことが知られている。スリーブとその内容物への損傷を防ぐために高い耐衝撃性が必要とされる用途では、巻き付け可能、かつ、周方向に連続した管状スリーブが知られている。いずれのスリーブも衝撃力や摩耗に対する保護を提供するが、既存の構造にはそれぞれ欠点がある。
【発明の概要】
【発明が解決しようとする課題】
【０００４】
巻き付け可能な織物スリーブは、通常、保護される細長い部材の周りにこれらを固定するために、クランプ、ストラップ、テープ等の二次機構を必要とする。このため、組立て中に追加の手間と時間が必要になり、それにより、組立てのコストが増加する。さらに、二次機構の在庫を維持することは、費用がかかる。さらに、二次機構は、使用中に外れる可能性があり、それにより、細長い部材が環境の影響に直接曝される潜在的な危険性がある。加えて、高い耐衝撃性を提供するために、巻き付け可能なスリーブは、通常、互いに重なる複数の層を形成するように巻き付ける必要があり、それにより、二重壁に囲まれた領域が形成され、あるいはそれ以上に、そのことによって材料費、および人件費が追加され、結果として狭いスペースでの使用には適さない、非常にかさばったスリーブになる可能性がある。さらに、巻き付け可能なスリーブは、通常、スリーブの壁の縦方向に延び、対向する縁部が互いに重なり合う重複領域にわたって不均一な厚さを有する。このため、スリーブの外側の包装（占有スペース）は、不均一で、厚みが増し、柔軟性が減少した領域を有し、当該領域によって、巻き付け可能なスリーブを狭く蛇行するスペースで使用することが妨げられたり、あるいは、組立が困難になったりする可能性がある。
【０００５】
周方向に連続した管状スリーブに関しては、高い耐衝撃性を提供するために、一般的に、スリーブの一部を別の部分の上に逆折りしたり、あるいは、互いの周りに配置された２つの別個のスリーブを使用したりすることによって、複数の層を有するものとしてスリーブを仕上げる必要がある。残念なことに、過剰の材料および組立の手間によってコストの増加だけでなく、巻き付け可能なスリーブについて上述したように、結果として得られるスリーブは、非常にかさばり柔軟性が制限され、狭く蛇行したスペースで、スリーブを組み立てることは困難または不可能となる。
【０００６】
したがって、必要なものは、特に衝撃、摩耗および汚染に対して内部に含まれる細長い部材の保護を強化し、使用中は所定の位置に固定されたままであり、細長い部材の直径の広範囲にわたって有用であり、製造および組立てにおいて経済的であり、非常に柔軟性があり、長く有用な寿命を示すスリーブである。
【課題を解決するための手段】
【０００７】
本開示の一つの態様は、細長い部材をルーティングおよび保護するための保護用織物スリーブを提供する。本開示の一実施形態によれば、上記スリーブは、互いに織り交ぜられた複数の糸を含み、上記織り交ぜられた糸は、対向する開放端間で縦軸に沿って長手方向に延びる、細長く、周方向に連続した管状壁を形成し、上記複数の糸の少なくともいくつかは、管状糸を含む。上記管状糸は、耐衝撃性が強化されたスリーブを提供し、これにより、衝撃力による不注意の損傷に対してスリーブ保護内で内容物が保護される。さらに、上記管状糸は、耐衝撃性を高めるために２層以上の壁を形成する必要がないため、比較的狭いスペースの制限を伴う用途でスリーブを使用でき、単層の壁のみによって、スリーブの重量を低減できるとともに柔軟性を向上させることができる。
【０００８】
本開示の別の態様によれば、上記管状糸は、互いに編組みされた複数のフィラメントによって形成された管状編組壁を有して設けられる。
【０００９】
本開示の別の態様によれば、上記管状糸の上記管状編組壁を形成する上記複数のフィラメントは、熱収縮性熱可塑性モノフィラメントを含んで設けられ、それにより、上記保護スリーブは、径方向に収縮させて内部に保護される内容物に密接することができる。このことは、外側の包装を減らすだけでなく、内容物の移動に対してスリーブを固定するように作用する。
【００１０】
本開示の別の態様によれば、上記管状糸の上記管状編組壁を形成する複数のフィラメント全体を熱収縮性フィラメントとして設けることができ、これにより熱収縮プロセスを介して径方向に収縮する上記スリーブの能力を最大化することができる。
【００１１】
本開示の別の態様によれば、上記スリーブの上記管状壁を形成する上記複数の糸の少なくともいくつかは非熱収縮性フィラメントとすることができ、これにより、たとえば、汚染物質の侵入、熱的条件、摩耗、および衝撃力に対する強化された保護を提供することができる。
【００１２】
本開示の別の態様によれば、上記管状糸の上記管状編組壁を形成する上記複数のフィラメントの少なくともいくつかは、非熱収縮性フィラメントとして設けることができる。
【００１３】
本開示の別の態様によれば、上記管状糸は、約０．５〜１０ｍｍの直径を有する空洞を境界付ける内面を有して設けることができる。
【００１４】
本開示の別の態様によれば、上記スリーブ壁を形成する上記複数の糸は、互いに編組みすることができる。
【００１５】
本開示の別の態様によれば、上記スリーブの管状壁を形成する上記複数の糸は、互いに編むことができる。
【００１６】
本開示の別の態様によれば、上記スリーブの上記壁を形成する上記複数の糸は、縦軸にほぼ平行に延びる縦糸、および縦糸に対してほぼ横方向に延びる横糸を含んで織ることができる。
【００１７】
本開示の別の態様によれば、上記縦糸の少なくともいくつかを上記管状糸として設けることができ、上記縦糸の少なくともいくつかを非管状のマルチフィラメントおよび／またはモノフィラメント糸として設けることができ、モノフィラメントが最適である摩耗に対する保護や、マルチフィラメントが最適であるカバレッジの強化など、望ましいタイプの保護を必要に応じて提供する。
【００１８】
本開示の別の態様によれば、複数の上記縦糸を、それらの間に非管状糸が介在することなく、互いに直ぐ隣り合った関係で管状糸として設けることができ、複数の上記縦糸を、それらの間に管状糸が介在することなく、互いに直ぐ隣り合った関係で非管状糸として設けることができ、これにより、上記管状糸に耐衝撃性が強化されたセクターが形成されるとともに、残りのセクターが、特に意図する用途に求められる望ましい保護特性を有する。
【００１９】
本開示の別の態様によれば、上記横糸の少なくともいくつかは、管状糸として設けることができ、上記横糸の少なくともいくつかは、非管状糸として設けることができ、それにより、より高価で耐衝撃性が増加した管状糸を、必要に応じて戦略的に配置することができる。
【００２０】
本開示の別の態様によれば、上記横糸の複数のピックを、それらの間に非管状糸のピックが介在することなく、互いに直ぐ隣り合った関係で管状糸として設けることができ、上記非管状糸の複数の上記ピックを、それらの間に管状糸のピックが間に介在することなく、互いに直ぐ隣り合った関係で設けることができる。そのため、モノフィラメントおよび／またはマルチフィラメントを含み、所望の材料の非管状糸を有する介在バンドとともに、耐衝撃性管状糸で作られ、正確に配置されて周方向に延びるバンドを形成する能力が供給される。これにより、耐衝撃性が高く、経済的で柔軟なスリーブが得られる。
【００２１】
本開示の別の態様によれば、上記細長く周方向に連続した管状壁は、その全長に沿って均一な密度を有して形成することができる。
【００２２】
本開示の別の態様によれば、上記細長く円周方向に連続した管状壁は、その長さおよび／または周方向の少なくとも一部に沿って不均一な密度を有して形成され得る。このことは、上記スリーブの局所的な領域に耐衝撃性が生じるように上記非管状の糸に対して上記管状糸を戦略的に配置することで生じ、これにより、耐衝撃性が高く、経済的で柔軟なスリーブを提供することができる。
【００２３】
本開示の別の態様によれば、上記複数の糸の少なくともいくつかは、縦糸および／または横糸が挿入された管状糸を含むことができる。
【００２４】
本開示の別の態様によれば、細長い部材をルーティングおよび保護するための織物スリーブを構成する方法が提供される。この方法は、対向する開口端間での縦軸に沿って縦に延びる、細長く周方向に連続した管状壁を形成するように複数の糸を互いに織り交ぜること、および、上記複数の糸の少なくともいくつかを管状糸として設けることを含む。
【００２５】
本開示の別の態様によれば、上記方法は、互いに編組みされた複数のフィラメントによって形成された管状編組壁を有する上記管状糸を設けることをさらに含むことができる。
【００２６】
本開示の別の態様によれば、上記方法は、上記管状糸の上記管状編組壁を形成する上記複数のフィラメントの少なくともいくつかを、熱収縮性フィラメントとして設けることをさらに含むことができる。
【００２７】
本開示の別の態様によれば、上記方法は、上記管状糸の上記管状編組壁を形成する上記複数のフィラメントの全体を、熱収縮性フィラメントとして設けることをさらに含むことができる。
【００２８】
本開示の別の態様によれば、上記方法は、上記管状糸の上記管状編組壁を形成する上記複数の糸の少なくともいくつかを、非熱収縮性フィラメントとして設けることをさらに含むことができる。
【００２９】
本開示の別の態様によれば、上記方法は、上記管状糸の上記管状編組壁を形成する上記複数のフィラメント全体を、非熱収縮性フィラメントとして設けることをさらに含むことができる。
【００３０】
本開示の別の態様によれば、上記方法は、約０．５〜１０ｍｍの直径を有する空洞を境界付ける内面を有する上記管状糸を設けることをさらに含むことができる。
【００３１】
本開示の別の態様によれば、上記方法は、編組プロセスによって上記織り交ぜることを実施することをさらに含むことができる。
【００３２】
本開示の別の態様によれば、上記方法は、編みプロセスによって上記織り交ぜることを実施することをさらに含むことができる。
【００３３】
本開示の別の態様によれば、上記方法は、上記縦軸にほぼ平行に延びる縦糸および上記縦糸に対してほぼ横方向に延びる横糸を含む上記複数の糸を用いて、製織プロセスによって上記織り交ぜることを実施することをさらに含むことができる。
【００３４】
本開示の別の態様によれば、上記方法は、上記縦糸の少なくともいくつかを管状糸として設け、上記縦糸の少なくともいくつかを非管状糸として設けることをさらに含むことができる。
【００３５】
本開示の別の態様によれば、上記方法は、複数の上記縦糸を、互いに直ぐ隣り合った関係で上記管状糸として設けること、および互いに直ぐ隣り合った関係で複数の上記非管状縦糸を設けることをさらに含むことができる。
【００３６】
本開示の別の態様によれば、上記方法は、上記横糸の少なくともいくつかを管状糸として設けること、および上記横糸の少なくともいくつかを非管状糸として設けることをさらに含むことができる。
【００３７】
本開示の別の態様によれば、上記方法は、その全長に沿って実質的に均一な糸密度を有し、上記細長く周方向に連続した管状壁を形成することをさらに含むことができる。
【００３８】
本開示の別の態様によれば、上記方法は、その長さに沿っておよび／またはその周囲の周りに不均一な糸密度を有し、上記細長く周方向に連続した管状壁を形成することをさらに含むことができる。
【００３９】
本開示の別の態様によれば、上記方法は、編組みされた、編まれた、あるいは織られた糸で、管状糸の少なくともいくつかを挿入することをさらに含むことができる。
【００４０】
これらおよび他の態様、特徴、および利点は、現在好ましい実施形態および最良の形態の以下の詳細な説明、添付の特許請求の範囲、および添付の図面を考慮して、当業者に容易に明らかになるであろう。
【図面の簡単な説明】
【００４１】
【図１】保護される細長い部材の周りに配置されて示される、本開示の一態様に従って示される織られた管状の織物スリーブの概略斜視図である。
【図１Ａ】図１の管状の織物スリーブの壁の拡大概略部分平面図である。
【図１Ｂ】本開示の別の態様に従って示される管状の織物スリーブの概略側面図である。
【図１Ｃ】本開示のさらに別の態様に従って構成された管状の織物スリーブの壁の概略端面図である。
【図２】保護される細長い部材の周りに配置されて示される、本開示の別の態様に従って示される、織られて挿入された管状の織物スリーブの概略斜視図である。
【図２Ａ】図２の管状の織物スリーブの壁の拡大された概略部分平面図である。
【図３】保護される細長い部材の周りに配置されて示される、本開示の別の態様に従って示される編組みされた管状の織物スリーブの概略斜視図である。
【図３Ａ】図３の管状の織物スリーブの壁の拡大概略部分平面図である。
【図３Ｂ】本開示の別の態様に従って構成された編組みされた管状の織物スリーブの編組壁の図３Ａと同様の図である。
【図４】保護される細長い部材の周りに配置されて示されている、本開示の別の態様に従って示されている編組みされて挿入された管状の織物スリーブの概略斜視図である。
【図４Ａ】図４の管状の織物スリーブの壁の拡大概略部分平面図である。
【図５】保護される細長い部材の周りに配置されて示される、本開示の別の態様に従って示される編まれた管状の織物スリーブの概略斜視図である。
【図５Ａ】図５の管状の織物スリーブの壁の拡大概略部分平面図である。
【図６】保護される細長い部材の周りに配置されて示されている、本開示の別の態様に従って示されている編まれて挿入された管状の織物スリーブの概略斜視図である。
【図６Ａ】図６の管状の織物スリーブの壁の拡大概略部分平面図である。
【図７Ａ】保護される細長い部材の周りの第１の拡張状態で示される、本開示のさらに別の局面に従って示される管状の繊維スリーブの概略端面図である。
【図７Ｂ】図７Ａと同様の図であり、保護されるべき細長い部材の周りの第２の収縮状態で示される管状の織物スリーブを伴う図である。
【図８】図１および１Ａのスリーブの構成に使用される管状糸の概略部分斜視図である。
【発明を実施するための形態】
【００４２】
図面をより詳細に参照すると、図１〜６は、本開示の異なる態様に従って構成された管状の織物スリーブ１０、１０'、１１０、１１０'、２１０、２１０'をそれぞれ概略的に示しており、同じ参照番号は、特に記載のない限り、同様の特徴を識別するために使用されており、１００のシリーズ番号および／またはプライム記号（ '）でオフセットされている。スリーブ１０、１０'、１１０、１１０'、２１０、２１０'は、保護されるワイヤーハーネス、ケーブル、チューブなどのような細長い部材１２の周りに配置されるものとして示されている。図１および図２においては、スリーブ１０、１０'は、製織プロセスによって構成されたものとして示され、図３および図４においては、スリーブ１１０、１１０'は、編組プロセスによって構成されたものとして示され、図５および図６においては、スリーブ２１０、２１０'は、編みプロセスによって構成されたものとして示されている。図７Ａおよび７Ｂは、上記開示の他の態様を示しており、スリーブ１０、１０'、１１０、１１０'、２１０、２１０ 'が収縮可能に構成されることができ、これにより、図７Ａにおいては、初期に構成されるものとして、直径方向に拡張させて部分的に組み込まれた第１の状態で概略的に示されている。一方、図７Ｂにおいては、スリーブ１０、１０'、１１０、１１０'、２１０、２１０'は、直径方向に収縮させて（例として限定されることなく、適切な熱源を適用することにより、スリーブ１０、１０'、１１０、１１０'、２１０、２１０'を径方向に収縮させて）、細長い部材１２の周りに完全に組み込まれた第２の状態（以下、収縮状態または第２の状態と称する）で示されており、これにより、アセンブリの外側の包装または直径を最小限に抑える。スリーブ１０、１０'、１１０、１１０'、２１０、２１０'は、周方向に連続した管状の外周１６および対向する開放端２０、２２間で中心縦軸１８に沿って延びる内部空洞１７とを有する細長い壁１４を有する。周方向に連続し、かつ管状であることにより、スリーブ１０、１０'、１１０、１１０'、２１０、２１０'は、縦に延びる自由端を有さず、むしろ、縫い目がないことによって、壁１４が、長さ方向に沿って、包装が解かれたり、開放されたりしないことと理解される。壁１４は、各々、（図１および図２においては、製織によって、図３および図４においては、編組みによって、図５および図６においては、編みによって）互いに織り交ぜられた複数の糸を含み、そこにおいて、複数の糸の少なくともいくらかは、管状糸２４（図８）を含み、一方、他の糸は、所望の固体モノフィラメントおよび／または固体マルチフィラメントなどの非管状糸２５を含んでいてもよい。壁１４が少なくとも部分的または全体的に管状糸２４で形成された状態においては、以下でさらに詳細に論じられるように、管状糸２４を有する領域に強化された耐衝撃性が提供され、それにより、衝撃力による損傷に対して、細長い部材１２への保護が高まる。管状糸２４の管状壁３０が二重壁構造を効果的に提供し、糸２４の長さに亘って延在する中空空洞２８がスリーブ壁１４への減衰特性をさらに高めることは、当業者には理解されよう。
【００４３】
本開示の１つの態様による管状糸２４は、図８に概略的に示されるように、約０．５〜１０ｍｍの直径を有する中空空洞２８を境界付ける内面２６を備える小型の管状編組壁３０を有する。管状編組壁３０は、互いに編組みされた複数の糸フィラメント３２によって形成される。糸フィラメント３２は、意図された用途に望まれるように、マルチフィラメントおよび／またはモノフィラメントとして設けられることができる。フィラメント３２の少なくともいくらかまたは全体は、非収縮性または実質的に非収縮性の糸として設けることができ、これは、糸２６が、その元の長さの約１〜１０％までなどいくらか収縮できるが、収縮糸として、元の長さの約２０％以上収縮する範囲に近くまでは収縮できないことを意味する。しかしながら、熱収縮性フィラメントは、少なくとも部分的または全体的に管状糸２４に組み込むことができ、それにより、スリーブ１０、１００に半径方向に収縮可能な熱収縮性特性が提供される。
【００４４】
図１をさらに詳細に参照すると、壁１４は、縦軸１８にほぼ平行に延びる縦糸３４と、縦糸３４に対してほぼ横方向に延びる横糸３６とを含むことができ、縦糸３４および横糸３６は、平織り、綾織り、バスケット、サテン、綿繻子、または他の既知の織りパターンなど、任意の望ましい織りパターンで互いに織られている。縦糸３４および横糸３６は、意図する用途に望まれるように、モノフィラメントおよび／またはマルチフィラメントの非管状糸２５を含めて設けることができる。収縮可能であることが意図される場合、非管状糸２５として設けられるか、および／または管状糸２４に組み込まれるかに関わらず、横糸３６の少なくともいくつかは、熱収縮性糸として設けることができる。図１および図１Ａを参照すると、一態様によれば、織りスリーブ１０は、管状糸２４の縦糸３４を含むことができ、そこにおいて、管状糸２４は、所望の耐衝撃性の程度および位置に応じて、全体、あるいはそれ以下に縦糸３４を設けることができる。さらに、横糸３６は、部分的または全体的に非管状の熱収縮性糸２５として設けることができ、図７Ａは、「織られている最中」の直径方向に拡張された第１の状態のスリーブ１０を示し、図７Ｂは、直径方向に収縮した第２の状態のスリーブ１０を示している。別の態様によれば、図１Ｂに示すように、織りスリーブ１０''は、管状糸２４として設けられる横糸３６の少なくともいくつか、および、モノフィラメントおよび／またはマルチフィラメントを含む、非管状糸２５として設けられる横糸３６を含むように形成することができる。図１Ｂの実施形態では、周方向に延びるバンド（ｏ）は、管状糸２４として設けられる横糸３６で形成され、一方、介在バンド（ｘ）は、熱収縮性および／または非熱収縮性のモノフィラメントおよび／またはマルチフィラメントを含む、非管状糸２５として設けられる横糸３６で形成される。
【００４５】
さらに別の態様によれば、図１Ｃに示されるように、織スリーブ１０''''は、管状糸２４として設けられる縦糸３４の少なくともいくつかと、モノフィラメントおよび／またはマルチフィラメントを含む、非管状糸２５として設けられる縦糸３４の少なくともいくつかとを含むように形成され得る。図１Ｃの実施形態では、非限定的な実施形態では約１２０度として示される、０〜３６０度の範囲の所望の度数のセクター（ｘ）が、管状糸２４として設けられる縦糸３４を含んで形成され、残りのセクターは、必要に応じて、モノフィラメントおよび／またはマルチフィラメントを含む非管状糸２５として設けられる縦糸３４を含んで形成される。管状糸２４は、所望の標的セクター（ｘ）にわたって互いに直ぐ隣り合って連続する関係で織ることができ、非管状糸２５も、互いに直ぐ隣り合って連続する関係で織ることができる。他の点では、管状２４の縦糸および非管状２５の縦糸は、任意の所望の方法で互いに交互にすることができ、必要に応じて、スリーブの周囲の周りを均一に含んでグループ化または束にすることができると考えられる。
【００４６】
さらに別の態様によれば、図２に示すように、織りスリーブ１０'は、スリーブ１０について上述したものと同様に構成されて示されており、縦軸１８にほぼ平行に延びる縦糸３４と、縦糸３４に対してほぼ横方向に延びる横糸３６とを含むことができ、縦糸３４および横糸３６は、平織り、綾織り、バスケット、サテン、綿繻子、または他の既知の織りパターンなど、任意の望ましい織りパターンで互いに織られている。しかしながら、図２Ａに最もよく示されるように、壁１４も、管状糸２４の挿入された縦糸３４'を含む。収縮可能であることが意図される場合、横糸３６の少なくともいくらかは、熱収縮性糸として設けることができる。非挿入で織られた縦糸３４および横糸３６は、上述のように、および意図する用途に望ましいように、モノフィラメントおよび／またはマルチフィラメントの非管状糸２５を含んで設けることができる。ここでは「挿入された」とはその通常の意味を取ることを意図しており、挿入された管状糸２４が織られた波状の横糸非管状糸２５によって横糸非管状糸２５の間に捕捉されたことを意味する、挿入された管状の縦糸３４'は、管状糸２４に関して上述したように、かつ、図８に示すように設けることができる。挿入された管状糸２４は、所望の耐衝撃性の程度および位置に応じて、壁１４の周囲の周りを互いに対称の関係で均一に、または、周囲の周りを不均一に挿入され得る。したがって、意図された用途に望まれるように、（セクター１４の周囲の３６０度未満にわたる）異なるセクターは、１つ以上のセクターに何も含まない、より多いまたはより少ない挿入された管状糸２５を含み得る。
【００４７】
図３および図３Ａを参照すると、互いに編み組まれた管状糸２４を含んでスリーブ１１０を編組みすることができる。図示された実施形態では、図３Ａに最もよく示されているように、編糸機の各キャリアが管状糸２４を備えるように、糸全体を管状糸２４として設けることができ、それにより、スリーブ１１０の耐衝撃性を最大にできる。他の点では、図３Ｂに示すように、スリーブ１１０''は、非管状糸２５が熱収縮性糸および/または非熱収縮性糸のモノフィラメントおよび/またはマルチフィラメントを含み、互いに編み組まれた状態で、いくつかのキャリアからの管状糸２４および残りのキャリアからの非管状糸２５を含んで編組みすることができる。図３Ｂに示すように、管状糸２４および非管状糸２５は、それぞれの管状糸２４および非管状糸２５が、他の均一および不均一の関係が本明細書で予期されているように、反対のらせんＳ方向およびＺ方向において１：１の関係で互いに交互になるように、互いに均一に編組みすることができる。
【００４８】
さらに別の態様に従って、図４に示すように、編組スリーブ１１０'は、スリーブ１１０に関して上述したものと同様に構成され、非管状糸２５に関して上述した様々な種類の編組み非管状糸２５などの編組糸を含む壁１４を有する。しかしながら、図４Ａに最もよく示されるように、壁１４はまた、挿入された縦方向に延びる管状糸２４を含む。したがって、スリーブ１１０'は、互いに反対のらせんＳ方向およびＺ方向に、熱収縮性および/または非熱収縮性糸のモノフィラメントおよび/またはマルチフィラメントを含む非管状糸２５を含んで編組みすることができる。さらに、スリーブ１１０’は、反対のらせんＳ方向およびＺ方向に延びる非管状糸２５の選択された糸の間に捕捉された関係で管状の糸２４が縦方向に（長さ方向に真っ直ぐに）挿入された状態で、編組みすることができる。図示のように、管状糸２４は、浮上方式で複数の交差する非管状糸２５を飛び越して、次に、交差する非管状糸２５の間または下方に沈み、そして、繰り返しの方式で、交差する非管状糸２５の上方に上昇する。図示された実施形態では、交差する非管状糸２５は、２つのノード（交差する非管状糸２５の交差位置）上に浮いて、単一のノードの下に沈むことを繰り返すが、必要に応じて、任意の所望のパターンを得ることができることを認識されたい。上述のように、管状糸２４は耐衝撃性を高め、耐衝撃性の強化を必要とする領域に応じて、壁１４の周囲の周りに均一に、または不均一に挿入することができる。
【００４９】
図５および図５Ａを参照すると、スリーブ１１０は、互いに編まれた管状糸２４を含んで編まれることができる。図示された実施形態では、図６Ａに最もよく示されているように、編み機の各キャリアが管状糸２４を備えるように、糸全体を管状糸２４として設けることができ、それにより、スリーブ２１０の耐衝撃性を最大にすることができる。他の点では、スリーブ２１０は、非管状糸２５が互いに編まれた熱収縮性糸および/または非熱収縮性糸のモノフィラメントおよび/またはマルチフィラメントを含んだ状態で、管状糸２４および非管状糸２５を含んで編まれることができる。ニットステッチタイプ、すなわち、限定ではなく例として、オープンまたはクローズドチェーンステッチ、トリコットステッチ、密度およびパターンは、目的の用途に合わせて選択できる。
【００５０】
さらに別の態様によれば、図６に示すように、ニットスリーブ２１０'は、スリーブ２１０に関して上述したものと同様に構成され、上述した様々な種類のニット非管状糸２５などのニット糸を含む壁１４を有する。しかしながら、図６Ａに最もよく示されるように、壁１４はまた、挿入された縦方向に延びる管状糸２４を含む。したがって、スリーブ２１０'は、熱収縮性および／または非熱収縮性糸のモノフィラメントおよび／またはマルチフィラメントを含み、任意の所望のニットステッチタイプ、パターン、および密度を介して互いに編み合わさせた非管状糸２５を含んで編まれることができる。さらに、スリーブ２１０'は、選択されたニット非管状糸２５の間に捕捉された関係で、管状糸２４が縦方向に（長さ方向にまっすぐに）挿入された状態で、編まれることができる。管状糸２４は、浮上方式で複数のニット非管状糸２５を飛び越して、次に、ニット非管状糸２５の間または下方に沈み、そして、繰り返しの方式でニット非管状糸２５の上方に上昇する。または、管状糸２４は、必要に応じて、ニット非管状糸２５の全体に沿って挿入および捕捉することができる。上述のように、管状糸２４は耐衝撃性を高め、耐衝撃性の強化を必要とする領域に応じて、壁１４の周囲の周りに均一に、または不均一に挿入することができる。
【００５１】
明らかに、上記の教示に照らして、本発明の多くの変更および変形が可能である。すべての請求項およびすべての実施形態のすべての特徴は、そのような組み合わせが互いに矛盾しない限り、互いに組み合わせることができると考えられる。したがって、添付の特許請求の範囲内で、本発明は、具体的に説明された以外の方法で実施されてもよいことが理解されるべきである。
【図１】
2021510397.tif 000003
【図１Ａ】
2021510397.tif 000004
【図１Ｂ】
2021510397.tif 000005
【図１Ｃ】
2021510397.tif 000006
【図２】
2021510397.tif 000007
【図２Ａ】
2021510397.tif 000008
【図３】
2021510397.tif 000009
【図３Ａ】
2021510397.tif 000010
【図３Ｂ】
2021510397.tif 000011
【図４】
2021510397.tif 000012
【図４Ａ】
2021510397.tif 000013
【図５】
2021510397.tif 000014
【図５Ａ】
2021510397.tif 000015
【図６】
2021510397.tif 000016
【図６Ａ】
2021510397.tif 000017
【図７Ａ】
2021510397.tif 000018
【図７Ｂ】
2021510397.tif 000019
【図８】
2021510397.tif 000020
【国際調査報告】
2021510397.tif 000021
2021510397.tif 000022
2021510397.tif 000023